【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
光を発する光源部と、
前記光源部に隣接し、側面から入射された前記光源部の光を主面から出射する導光部と、
前記導光部の主面の１つである一主面に積層され、前記導光部の前記一主面から出射された光の一部を透過させ、且つ外部から照射された外来光を反射させる透過反射部と、
前記透過反射部に積層され、所定の情報が輪郭に沿って切り抜かれた表示板を有し、前記導光部からの光を透過させる表示部とを備え、
前記導光部は、前記一主面又は他主面の少なくとも一面に凹部が形成され、
前記透過反射部は、凹部状の反射膜が形成された反射部と、
前記反射部と前記反射部との間に設けられた透過部と、からなること
を特徴とする標識灯。
【請求項２】
前記導光部の前記一主面に対向して設けられた他主面に隣接し、前記導光部の前記他主面から出射された光を反射させる反射板が設けられていること
を特徴とする請求項１に記載の標識灯。
【請求項３】
前記導光部と前記透過反射部との間に設けられ、前記導光部から出射された光を透過させ前記透過反射部に入射させる透過板が設けられていること
を特徴とする請求項１に記載の標識灯。
【請求項４】
前記導光部と前記反射板又は前記透過板との間に、空間が設けられていること
を特徴とする請求項２又は請求項３に記載の標識灯。
【請求項５】
前記導光部は、保持部材にて前記導光部の外周を保持され、且つ前記保持部材の内周面に前記光源部が設けられていること
を特徴とする請求項１に記載の標識灯。
【請求項６】
前記保持部材の断面形状は、コの字形状に形成されていること
を特徴とする請求項５に記載の標識灯。
【請求項７】
前記導光部の凹部は、点状の凹部がマトリクス状に形成されていること
を特徴とする請求項１に記載の標識灯。
【請求項８】
前記導光部に形成された凹部は、超音波加工、加熱加工、レーザー加工及び成型加工にて形成されること
を特徴とする請求項１に記載の標識灯。
【請求項９】
光を発する光源部と、
前記光源部に隣接し、側面から入射された光源部の光を主面から出射する導光部と、
前記導光部の主面の１つである一主面及び前記一主面に対向して設けられた他主面にそれぞれ積層され、前記導光部の前記一主面及び前記他主面から出射された光の一部をそれぞれ透過させ、且つ外部から照射された外来光をそれぞれ反射させる一対の透過反射部と、
前記一対の透過反射部にそれぞれ積層され、所定の情報が輪郭に沿って切り抜かれた表示板を有し、前記導光部からの光をそれぞれ透過させる一対の表示部とを備え、
前記導光部は、前記一主面及び他主面に凹部が形成され、
前記透過反射部は、凹部状の反射膜が形成された反射部と、
前記反射部と前記反射部との間に設けられた透過部と、からなること
を特徴とする標識灯。
【請求項１０】
前記導光部と前記一対の透過反射部との間に設けられ、前記導光部から出射された光をそれぞれ透過させ前記一対の透過反射部にそれぞれ入射させる一対の透過板が設けられていること
を特徴とする請求項９に記載の標識灯。
【請求項１１】
前記導光部と前記一対の透過板との間に、それぞれ空間が設けられていること
を特徴とする請求項９に記載の標識灯。
【請求項１２】
前記導光部は、保持部材にて前記導光部の外周を保持され、且つ前記保持部材の内周面に前記光源部が設けられていること
を特徴とする請求項９に記載の標識灯。
【請求項１３】
前記保持部材の断面形状は、コの字形状に形成されていること
を特徴とする請求項１２に記載の標識灯。
【請求項１４】
前記導光部の凹部は、点状の凹部がマトリクス状に形成されていること
を特徴とする請求項９に記載の標識灯。
【請求項１５】
前記導光部に形成された凹部は、超音波加工、加熱加工、レーザー加工及び成型加工にて形成されること
を特徴とする請求項９に記載の標識灯。
【手続補正２】
【補正対象書類名】明細書
【補正対象項目名】０００６
【補正方法】変更
【補正の内容】
【０００６】
前述の課題を解決すべく、本発明に係る標識灯は、光を発する光源部と、前記光源部に隣接し、側面から入射された前記光源部の光を主面から出射する導光部と、前記導光部の主面の１つである一主面に積層され、前記導光部の前記一主面から出射された光の一部を透過させ、且つ外部から照射された外来光を反射させる透過反射部と、前記透過反射部に積層され、所定の情報が輪郭に沿って切り抜かれた表示板を有し、前記導光部からの光を透過させる表示部とを備え、前記導光部は、前記一主面又は他主面の少なくとも一面に凹部が形成され、前記透過反射部は、凹部状の反射膜が形成された反射部と、前記反射部と前記反射部との間に設けられた透過部と、からなることを特徴とする。
【手続補正３】
【補正対象書類名】明細書
【補正対象項目名】００６３
【補正方法】変更
【補正の内容】
【００６３】
請求項１に記載の標識灯１乃至８は、光を発する光源部１０と、光源部１０に隣接し、側面から入射された光源部１０の光を主面から出射する導光部２０と、導光部２０の主面の１つである一主面に積層され、導光部２０の一主面から出射された光の一部を透過させ、且つ外部から照射された外来光を反射させる透過反射部３０と、透過反射部３０に積層され、所定の情報が輪郭に沿って切り抜かれた表示板４１を有し、導光部２０からの光を透過させる表示部４０とを備え、導光部２０は、一主面又は他主面の少なくとも一面に凹部が形成され、透過反射部３０は、凹部状の反射膜が形成された反射部３１ａと、反射部３１ａと反射部３１ａとの間に設けられた透過部３１ｂと、からなることを特徴としている。
【手続補正４】
【補正対象書類名】明細書
【補正対象項目名】００６４
【補正方法】変更
【補正の内容】
【００６４】
この様な請求項１に記載の標識灯１乃至８によれば、簡便な構造により装置の厚みを抑制することができ、且つ表示部から光を透過させて出射することにより該表示部に表示された情報を外部から認識し易くさせるとともに、外部から照射された外来光を該外来光が照射された方向に反射させることができる。特に、片面発光の標識灯として機能する。また、この様な請求項１に記載の標識灯１乃至８によれば、導光部２０の一主面又は他主面の少なくとも一面に凹部が形成されているため当該凹部で発生した複数の拡散光を、略均一な面発光の光として導光部２０から導出させることができる。さらに、この様な請求項１に記載の標識灯１乃至８によれば、透過反射部３０において、反射膜が形成された反射部３１ａは、反射ミラーとして機能するため、外部から反射部３１ａに照射された外来光を反射させることができる。一方、透過反射部３０において、透過部３１ｂでは、透過板として機能するため、導光部２０の導光板２１から出射された光を透過させることができる。なお、外部から透過反射部３０に照射された外来光が、標識灯１に対して所定の角度以内で入射された場合には、該外来光の発光源に近接した位置に反射させることができる。また、外部から透過反射部３０に照射された外来光が、標識灯１に対して大きな角度で入射された場合でも、外来光の発光源と標識灯１との距離が十分に短ければ、該外来光の発光源に近接した位置に反射させることができる。
【手続補正５】
【補正対象書類名】明細書
【補正対象項目名】００７５
【補正方法】変更
【補正の内容】
【００７５】
請求項７に記載の標識灯１乃至８は、請求項１に従属し、導光部２０の凹部は、点状の凹部がマトリクス状に形成されていることことを特徴としている。
【手続補正６】
【補正対象書類名】明細書
【補正対象項目名】００７６
【補正方法】変更
【補正の内容】
【００７６】
この様な請求項７に記載の標識灯１乃至８によれば、導光部２０の一主面又は他主面の少なくとも一面に点状の凹部がマトリクス状に形成されているため当該凹部で発生した複数の拡散光を、略均一な面発光の光として導光部２０から導出させることができる。
【手続補正７】
【補正対象書類名】明細書
【補正対象項目名】００７９
【補正方法】変更
【補正の内容】
【００７９】
請求項９に記載の標識灯２０１乃至２０６は、光を発する光源部１０と、光源部１０に隣接し、側面から入射された光源部１０の光を主面から出射する導光部２０と、導光部２０の主面の１つである一主面及び一主面に対向して設けられた他主面にそれぞれ積層され、導光部２０の一主面及び他主面から出射された光の一部をそれぞれ透過させ、且つ外部から照射された外来光をそれぞれ反射させる一対の透過反射部１００と、一対の透過反射部１００にそれぞれ積層され、所定の情報が輪郭に沿って切り抜かれた表示板１１１及び１１２を有し、導光部２０からの光をそれぞれ透過させる一対の表示部１１０とを備え、導光部２０は、一主面及び他主面に凹部が形成され、透過反射部３０は、凹部状の反射膜が形成された反射部３１ａと、反射部３１ａと反射部３１ａとの間に設けられた透過部３１ｂと、からなることを特徴としている。
【手続補正８】
【補正対象書類名】明細書
【補正対象項目名】００８０
【補正方法】変更
【補正の内容】
【００８０】
この様な請求項９に記載の標識灯２０１乃至２０６によれば、簡便な構造により装置の厚みを抑制することができ、且つ表示部から光を透過させて出射することにより該表示部に表示された情報を外部から認識し易くさせるとともに、外部から照射された外来光を該外来光が照射された方向に反射させることができる。特に、両面発光の標識灯として機能する。また、この様な請求項９に記載の標識灯２０１乃至２０６によれば、導光部２０の一主面及び他主面に凹部が形成されているため当該凹部で発生した複数の拡散光を、略均一な面発光の光として導光部２０から導出させることができる。さらに、この様な請求項９に記載の標識灯２０１乃至２０６によれば、透過反射部１００において、反射膜が形成された反射部３１ａは、反射ミラーとして機能するため、外部から反射部３１ａに照射された外来光を反射させることができる。一方、透過反射部１００において、透過部３１ｂでは、透過板として機能するため、導光部２０の導光板２１から出射された光を透過させることができる。なお、外部から透過反射部１００に照射された外来光が、標識灯２０１に対して所定の角度以内で入射された場合には、該外来光の発光源に近接した位置に反射させることができる。また、外部から透過反射部１００に照射された外来光が、標識灯２０１に対して大きな角度で入射された場合でも、外来光の発光源と標識灯２０１との距離が十分に短ければ、該外来光の発光源に近接した位置に反射させることができる。
【手続補正９】
【補正対象書類名】明細書
【補正対象項目名】００９０
【補正方法】変更
【補正の内容】
【００９０】
請求項１４に記載の標識灯２０１乃至２０６は、請求項９に従属し、導光部２０の凹部は、点状の凹部がマトリクス状に形成されていることことを特徴としている。
【手続補正１０】
【補正対象書類名】明細書
【補正対象項目名】００９１
【補正方法】変更
【補正の内容】
【００９１】
この様な請求項１４に記載の標識灯２０１乃至２０６によれば、導光部２０の一主面又は他主面の少なくとも一面に点状の凹部がマトリクス状に形成されているため当該凹部で発生した複数の拡散光を、略均一な面発光の光として導光部２０から導出させることができる。